(57)【要約】【課題】簡単な構成で、撮影された眼底画像を、その画像を取得した撮影条件情報に関連づけて保存する。【解決手段】パノラマ撮影で、眼底を撮影するとき撮影を誘導するために眼底画像テンプレート３２と固視灯テンプレート３０、対物レンズテンプレート３１を出力する誘導テンプレートが起動される。撮影は、このテンプレートから出力される撮影条件情報３３に従って、外部固視灯の位置を変化させて順次行われる。撮影された眼底画像は、出力された撮影条件情報（位置情報）と関連付けて記録される。このような構成では、眼底撮影時、その撮影を誘導するために撮影条件情報が出力され、その出力された撮影条件情報と関連付けて、撮影された眼底画像を記録することができるので、実際の撮影条件情報を検出しなくても、眼底画像を、同等な撮影条件情報で関連付けて保存できる。【選択図】　図４
2004135941.tif 000002
【特許請求の範囲】
【請求項１】
眼底を電子画像として撮像し、記録する眼科撮影システムであって、
前記眼底を撮影するとき撮影を誘導するために撮影条件情報を出力する手段と、
前記出力された撮影条件情報に従って眼底を電子画像として撮影することができる撮像手段と、
前記撮影された眼底画像を、前記出力された撮影条件情報と関連付けて記録する記録手段と、
を有することを特徴とする眼科撮影システム。
【請求項２】
前記撮影条件情報が、撮影モードで決まる撮影を誘導する誘導テンプレートあるいは撮影ガイダンスによって出力されることを特徴とする請求項１に記載の眼科撮影システム。
【請求項３】
前記撮影条件情報が、被検眼に対する撮像手段の所定位置での撮影を指示する撮影指示情報であり、撮影条件情報として該所定位置を示す位置情報が記録されることを特徴とする請求項１又は２に記載の眼科撮影システム。
【請求項４】
前記撮影条件情報に従って出力される被検眼に対する複数の異なる撮像手段の位置で撮影が行われ、各位置で撮影された眼底画像が、その位置を示す位置情報と関連付けて記録されることを特徴とする請求項３に記載の眼科撮影システム。
【請求項５】
撮影された眼底画像の良否に応じて次の撮影条件情報が出力されることを特徴とする請求項４に記載の眼科撮影システム。
【請求項６】
撮影条件情報が、撮影モードを示す情報あるいは撮影時刻を示す情報を含むことを特徴とする請求項２から５のいずれか１項に記載の眼科撮影システム。
【請求項７】
前記撮影条件情報が、撮影された眼底画像を表示する表示手段に表示されることを特徴とする請求項１から６のいずれか１項に記載の眼科撮影システム。
【請求項８】
眼底撮影を誘導するとき、前記撮影条件情報が、アライメント時に検者が覗く接眼レンズからの被検眼の状態をモデル化した画像とともに、表示手段に表示されることを特徴とする請求項１から７のいずれか１項に記載の眼科撮影システム。
【請求項９】
眼底撮影を誘導するとき、前記撮影条件情報が、アライメント時に検者が見るアライメント用モニタの画面の状態をモデル化した画像とともに、表示手段に表示されることを特徴とする請求項１から７のいずれか１項に記載の眼科撮影システム。
【請求項１０】
撮影された眼底画像が表示手段に表示されるとき、その画像の取得のために出力された撮影条件情報が同時に表示手段に表示されることを特徴とする請求項７に記載の眼科撮影システム。
【発明の詳細な説明】
【０００１】
【発明の属する技術分野】
本発明は、眼科撮影システム、さらに詳細には、眼底カメラで眼底を電子画像として撮像し、撮影された眼底画像を記録する眼科撮影システムに関する。
【０００２】
【従来の技術】
従来より、眼底カメラを用いて眼底の画像（写真）を撮影し、記録することが行われている。この場合、単に画像だけでなく、その撮影条件等の情報も記録する必要性があり、そのため、画像記録時にその画像取得に関連する撮影条件情報を手書きで書いて、あとでそれをデータベースに入力しファイリングすることが行われている。
【０００３】
しかし、このような手書き入力は、わずらわしくまた入力ミスの危険性があるので、眼底カメラとファイリングシステムの間で、画像情報のみならず撮影条件情報も送受信する方法が提案されており、例えば、特許文献１では、撮影倍率や使用したフィルタ、左右眼情報、撮影光量などの撮影条件を眼底カメラから信号として送出してもらい、それをファイリングシステムに取り込み、画像をこれらの情報と関連付けて保存している。
【０００４】
また、眼底カメラで撮影された眼底画像に対して画像のサイズ、階調、カラー画像かどうかなどの情報を付加してファイリングすることも行われており（特許文献２）、また、眼底画像のほかに、顔写真、指紋、文字情報などの付帯情報を記録することも行われている（特許文献３）。
【０００５】
【特許文献１】
特開平５−２６２９号公報（［００１５］、［００４８］段落）
【特許文献２】
特開平１０−１８２号公報（［００３７］〜［００４４］段落）
【特許文献３】
特開２００１−１６１６４６号公報（［００１４］、［００１６］段落）
【０００６】
【発明が解決しようとする課題】
ところが、従来の撮影条件情報を取得する方法は、眼底カメラ側に特殊なハード・ソフトの機能が必要であったので、使用できる眼底カメラやファイリングシステムが限定され、既存の眼底カメラや他の機能との絡みでユーザー希望のファイリングシステムを使用するには、独自に改造等を行い対応する機能を付け加える必要が生じ、システムの実現が困難またはコストが増大するという問題があった。
【０００７】
また、眼底カメラでは、眼底カメラと被検眼との相対位置を変化させて被検眼を種々の位置から撮影するステレオ撮影、パノラマ撮影等が行われており、この場合にも、眼底カメラ側に位置情報を持って、これをパソコンに取り込んで、ステレオ撮影あるいはパノラマ撮影された眼底画像を、位置情報と関連付けて記録することが行われている。このようなステレオ撮影、パノラマ撮影においても、カメラ側にカメラ移動量など位置情報を発生する手段を設ける必要があると共に、撮影位置などの条件を変えながら多くの写真を取るので、撮影作業が複雑で難しく撮影そのものの間違いも起きやすく、検者、被検者双方の負担を増す危険も多かった。
【０００８】
本発明は、このような問題を解決するためになされたもので、簡単な構成で、コストを増大させることなく、撮影された眼底画像を、その画像を取得した撮影条件情報に関連づけて保存することが可能な眼科撮影システムを提供することをその課題とする。
【０００９】
【課題を解決するための手段】
本発明は、この課題を解決するために、
眼底を電子画像として撮像し、記録する眼科撮影システムであって、
前記眼底を撮影するとき撮影を誘導するために撮影条件情報を出力する手段と、
前記出力された撮影条件情報に従って眼底を電子画像として撮影することができる撮像手段と、
前記撮影された眼底画像を、前記出力された撮影条件情報と関連付けて記録する記録手段とを有する構成を採用している。
【００１０】
このような構成では、眼底撮影時、その撮影を誘導するために撮影条件情報が出力され、その出力された撮影条件情報と関連付けて、撮影された眼底画像を記録することができるので、実際の撮影条件情報を検出しなくても、眼底画像を、同等な撮影条件情報と関連付けて保存できる。
【００１１】
【発明の実施の形態】
以下、図面に示す実施の形態に従って本発明を詳細に説明する。
【００１２】
図１には、本発明の眼科撮影システムの構成が図示されており、符号１で示すものは、眼底カメラで、赤外光並びに励起光を含む可視光の照明光を発生する観察ランプＬＡが球面ミラーＭ１の曲率中心に配置され、観察ランプＬＡ並びに球面ミラーＭ１からの光は、コンデンサーレンズＬ１、フィルタＦ１、コンデンサーレンズＬ２を経て、全反射ミラーＭ２によって反射され、続いてリレーレンズＬ３、Ｌ４を経て、中心に穴のあいた穴あき全反射ミラーＭ３で反射されてから、対物レンズＬ５を経て被検眼Ｅの瞳Ｅｐより眼底Ｅｒに入射される。
【００１３】
また、後述のフィルムＦあるいはＣＣＤ１（撮像手段）、ＣＣＤ２のカメラ上に眼底像を撮影するときのために、フィルタＦ１とレンズＬ２間に、ストロボＳＲが配置される。フィルタＦ１は、赤外光領域を透過し、それ以下の可視領域をカットする。赤外光をカットし可視光を眼底に照射する場合は、フィルタＦ１に換えてフィルタＦ１’が照明光路に挿入される。
【００１４】
また、蛍光モードのときは、レンズＬ２と全反射ミラーＭ２間の照明光学系には、励起光となる４５０〜５２０ｎｍ近辺に透過特性を有するとともに、赤外光領域にも透過特性を有するエキサイタフィルタＥＦが挿入され、また、ミラーＭ９とレンズＬ６間の撮影光学系には、５００〜６００ｎｍの可視蛍光を透過させるとともに、赤外光も透過させるバリアフィルタＢＦが挿入される。
【００１５】
また、眼底カメラの照明光路には、例えば、緑色フィルタや赤色フィルタなどの特殊フィルタＢが挿脱可能に配置され、この特殊フィルタが光路に挿入されると、そのフィルタ色に合った眼底画像を観察ないし撮影することができる。
【００１６】
また、上記のうちリレーレンズＬ３、Ｌ４は、無散瞳モード用のものであり、散瞳モードや蛍光モードのときは、リレーレンズＬ３’、Ｌ４’に切り換えられる。
【００１７】
操作部１１は、スイッチおよび必要な駆動回路から構成され、無散瞳型照明系（Ｌ３、Ｌ４）と散瞳型照明系（Ｌ３’、Ｌ４’）の切換を行なうとともに、照明系のフィルタＦ１／Ｆ１’の切り換え、蛍光モードに必要なエキサイタフィルタＥＦ、バリアフィルタＢＦの挿脱、特殊フィルタＢの挿脱、その他リターンミラーＭ４、Ｍ５、Ｍ６の切り換えを行い、また観察光源ＬＡの点灯、消灯も制御する。また、この操作部１１には、タイマー１２が接続され、蛍光撮影時タイマー１２が起動されると、タイマーの計時に従ってフィルタＦ１、Ｆ１’の切り換えが行われる。
【００１８】
眼底Ｅｒからの反射光は、瞳Ｅｐから対物レンズＬ５を介して受光され、穴あき全反射ミラーＭ３の穴を介して合焦レンズＬ６、結像レンズＬ７を通過し、ミラーＭ４に入射する。ミラーＭ４で反射された光は、ミラーＭ５で反射されて接眼レンズＬ８により検者Ｓに観察される。
【００１９】
ミラーＭ４の後方にはフィルムＦが配置されており、このフィルムＦ上に眼底像を撮影する場合は、ミラーＭ４を光路から外し、眼底像をフィルムＦ上に導くようにする。ミラーＭ５は、光路から外せるように構成されており、ミラーＭ５が光路から外れた場合には、ミラーＭ４で反射した光束は、ミラーＭ６で反射された後レンズＬ９を介して赤外光による眼底像を観察するためのＣＣＤ２上に結像される。また、ミラーＭ６ははね上げ式となっており、被検眼の画像はレンズＬ９’を介して可視光画像を撮像するためのＣＣＤ１上に結像できるようになっている。ＣＣＤ１の出力は、後述するコンピュータ２０に眼底画像信号として出力することができ、またＣＣＤ２の出力は、アライメント用のモニタ１４に出力することができる。
【００２０】
また、眼底カメラ１には、フォーカスドット（ＦＤ）用の光源として赤外ＬＥＤ６が設けられ、ＬＥＤ６の光はレンズＬ１０、ミラーＭ８、レンズＬ１１を経て穴あき全反射ミラーＭ３と結像レンズＬ６間に配置されたミラーＭ９に入射され、穴あき全反射ミラーＭ３の開口、対物レンズＬ５を介して眼底に合焦用のスポット像を形成する。
【００２１】
さらに、眼底カメラ１には、ワーキングドット用光源１７が被検眼Ｅと眼底カメラのアライメント用の視標を投影するために設けられる。本実施形態では、一端が穴あき全反射ミラーＭ３に配置されるオプティカルファイバーＯＦの端面がワーキングドット（ＷＤ）の光像を生成する。ワーキングドット用光源１７はレンズＬ２０とＬＥＤ５から構成されている。オプティカルファイバーＯＦの端面のワーキングドット（ＷＤ）の光像は対物レンズＬ５を介して被検眼Ｅの角膜に投影され、オプティカルファイバーＯＦの端面は、被検者と眼底カメラのワーキングディスタンス（作動距離）が適切な距離になったときにピントが合うような位置に配置されている。ＬＥＤ５も、ＬＥＤ６と同様、近赤外光を発生する発光ダイオードである。
【００２２】
また、眼底カメラ１には、被検眼の位置を外部から誘導する外部固視灯１３が取り付けられており、この外部固視灯１３は、固視ランプ１３ａと屈曲自在なアーム１３ｂから構成されていて、操作部１１により固視ランプ１３ａを点灯させ、アームの屈曲並びに移動を操作して固視ランプ１３ａの位置を被検眼に対して相対的に移動させ、撮影位置を移動させることができる。
【００２３】
また、眼底カメラ１には、シャッタボタン１０ａを備えたジョイスティック１０が設けられ、このジョイスティックにより、眼底カメラ１と被検眼Ｅの相対位置を変化させることができる。眼底カメラが被検眼に対して適正にアライメントされているときには　、上記ワーキングドットが眼底画像に対して所定の位置（中心）を占めるので、ワーキングドットの像を、接眼レンズＬ８を介して観察することにより、あるいはアライメント用モニタ１４で観察することにより、眼底カメラを被検眼に対して適正にアライメントすることができる。
【００２４】
本発明の眼科撮影システムには、眼底カメラ１で撮影された眼底の電子画像を、記録保存するファイリングシステムが設けられており、このファイリングシステムは、コンピュータ２０と、入力手段としてのキーボート２１やマウス２２、表示手段としてのモニタ２４、それに画像や関連するデータを記録し、保存するハードディスクドライブ、ＣＤＲ、ＤＶＤ−ＲＡＭ、ＭＯなどの外部記憶装置（記録手段）２３から構成されている。
【００２５】
コンピュータ２０は、ＣＰＵ２０ａ、ＲＯＭ２０ｂ、ＲＡＭ２０ｃ、ハードディスクドライブ（ＨＤＤ）２０ｄなどから構成されており、ＲＯＭ２０ｂあるいはＨＤＤ２０ｄには、眼底撮影の進行ないし過程を制御したり、誘導する誘導テンプレートないし撮影ガイダンスが格納されており、ＣＰＵ２０ａは、眼底撮影時、この誘導テンプレートないし撮影ガイダンスを読み出して、実行することにより眼底撮影を誘導するための種々の撮影条件情報（撮影条件データ）や撮影指示情報（撮影指示データ）を出力する。発生した撮影条件情報や撮影指示情報は、モニタ２４に表示され、その情報に従って眼底の撮影が行われる。また眼底カメラ１で撮影された眼底画像は、コンピュータ２０に取り込まれ、モニタ１４または２４に表されると共に、撮影条件情報や撮影指示情報と関連付けてＨＤＤ２０ｄあるいは外部記憶装置２３に記録（ファイリング）される。ＲＡＭ２０ｃは、取得された眼底画像データや発生した種々のデータを一時保存し、またワークエリアを提供する。
【００２６】
また、コンピュータ２０は、信号線２５を介して眼底カメラ１と同期信号により同期させることができ、例えばシャッターボタン１０ａの操作により得られるストロボ発光タイミング信号を取り込むことができる。
【００２７】
このような構成において、種々の眼底撮影を行い、記録するときの動作を、図２、図３の流れに沿って説明する。
【００２８】
眼底カメラを使用するとき、ＲＯＭ２０ｂあるいはＨＤＤ２０ｄに格納された撮影プログラムが起動される。それにより、使用する眼底カメラの種類を入力する画面がモニタ２４に現れるので、検者は眼底カメラの種類（機種）を入力する（ステップＳ１）。また、散瞳撮影を行うか、あるいは無散瞳撮影を行うかを入力すると（ステップＳ２）、種々の撮影モードを提供するメニュー選択画面が現れるので（ステップＳ３）、検者は、そのメニューを選択する。いずれかのメニューが選択されると、眼底撮影を誘導するために、撮影規準となる種々の撮影条件情報ないし撮影指示情報を出力する誘導テンプレートないし撮影ガイダンスが、ＲＯＭ２０ｂあるいはＨＤＤ２０ｄから読み出され、モニタ２４に現れるので、検者はこの誘導テンプレートないし撮影ガイダンスに従って撮影を開始する。
【００２９】
例えば、パノラマ撮影の撮影モードを選択すると（ステップＳ１０）、図３に示した流れに移行し、図４に示したパノラマ撮影用の誘導テンプレートが現れて撮影条件情報が出力される。誘導テンプレートは、上側に外部固視灯１３と対物レンズＬ５のアニメーションテンプレート３０、３１、下側に実際に接眼レンズＬ８又はモニタ１４を通して写るべき眼底画像の位置を示す眼底画像テンプレート３２を有しており、固視灯位置を指示する撮影条件情報３３を出力する。
【００３０】
パノラマ撮影する時、まず検者は、ワーキングドットの像を、接眼レンズＬ８あるいはモニタ１４を介して観察することにより、ワーキングドット像が、観察画像のほぼ中央にくるようにアライメントを行う。このとき、ＬＥＤ６による焦点調節も行っておく。続いて、撮影条件情報３３の指示に従い操作部１１を介して固視ランプ１３ａを、眼底像が撮影すべき範囲の中央の範囲にくるように移動させ（ステップＳ２０）、接眼レンズＬ８あるいはモニタ１４を介して観察される眼底画像（パノラマ画像）がテンプレート３２の画像となるように位置調節を行う。
【００３１】
このように、アライメントと外部固視灯１３の位置調節が終了すると、シャッターボタン１０ａを押し、ストロボＳＲを発光させる。パノラマ撮影のときは、フィルタＥＦ、Ｂ、ＢＦは光路から離脱しており、またミラーＭ５、Ｍ６が光路から離脱するので、ストロボの可視光で照明された眼底像がＣＣＤ１で受像され撮影される（ステップＳ２１）。この撮影された眼底画像は、コンピュータ２０に取り込まれて一時ＲＡＭ２０ｃに格納されると共に、モニタ２４にも表示される。この状態が図４（Ｊ）に図示されており、撮影された右目の眼底画像３４が、撮影位置（固視灯位置「中央」）を示す撮影条件情報３４ａ、その他撮影条件情報（撮影光量、撮影倍率、右目左目の区別、患者のＩＤ番号など）３４ｂ、３４ｃ、及び「ＯＫ」ボタン３４ｄ、「ＮＧ」ボタン３４ｅとともにモニタ２４に表示される。
【００３２】
検者は、この画面を観察して、撮影が良好に行われたと判断した場合には（ステップＳ２２のＯＫ）、キーボード２１あるいはマウス２２で「ＯＫ」ボタン３４ｄを操作し、また被検者の瞬き等が原因で良好でないと判断した場合には（ステップＳ２２のＮＧ）、「ＮＧ」ボタン３４ｅを操作して再度撮影を行う。
【００３３】
撮影が良好に行われたと判断した場合には、指示された撮影条件と同一条件で撮影されたかを判断する（ステップＳ２３）。例えば、露光量が異なる場合には、それを修正する（ステップＳ２４）。この場合、修正した情報は、未修正の情報と区別ができるように、表示の際色やフォントを変えるのが望ましい。一方、同一条件で撮影された場合には、撮影した眼底画像と、撮影条件情報をＨＤＤ２０ｄ及び／又は外部記憶装置２３に記録する（ステップＳ２５）。この記録状態が、図７（Ａ）に図示されており、撮影された眼底画像３４は、撮影条件情報３４ａと関連付けて記録される。この場合、撮影条件情報３４ａは、外部固視灯１３の所定位置での撮影を指示する指示情報であり、撮影条件情報として該指示情報の固視灯「中央」の位置情報が記録される。
【００３４】
このように、固視灯中央での撮影が終了すると、次に外部固視灯１３の位置を、図４（Ｂ）〜（Ｉ）に示したように、「中央右」、「右上」、「中央上」、「左上」、「中央左」、「左下」、「中央下」、「右下」にずらすような指示情報が、順次誘導テンプレートないし撮影ガイダンスから出力される。
【００３５】
固視灯テンプレート３０を介して、外部固視灯１３の位置関係が表示されるので、検者は、その指示に従って外部固視灯１３を移動させた後、接眼レンズＬ８あるいはモニタ１４で観察されるパノラマ画像が、指示どおりのテンプレート画像３２に対応しているかどうかを確認後、各位置で眼底を撮影し、各画像が良好な場合には、指示された撮影条件と同一条件で撮影されたかどうかを確認した後、それぞれ撮影された眼底画像と、撮影条件情報としての固視灯の位置情報をそれぞれ記録する（ステップＳ２７〜Ｓ３２）。パノラマ撮影に必要な枚数を撮影すると、パノラマ撮影が終了する（ステップＳ２６、Ｓ３３）。このパノラマ撮影での記録状態が図７（Ａ）に図示されている。撮影条件情報３４ａとしては、外部固視灯１３の位置を示す「中央」、「中央右」、「右上」などの位置情報が記録される。この場合、必要に応じてその他の撮影条件情報（撮影光量、撮影倍率、右目左目の区別、患者のＩＤ番号など）３４ｂ、３４ｃなどを記録するようにしてもよい。また眼底画像３４、３４’、３４”と、それに関連する撮影条件情報などの属性データを別ファイルに記録し、両ファイルを患者ＩＤ番号などをキーとしてリレーショナルに結合するようにすることもできる。
【００３６】
このように、パノラマ撮影において、被検眼に対する眼底カメラの実際位置を知らなくても、撮影された眼底画像が、その取得のために規準となった誘導テンプレートないし撮影ガイダンスから予め出力される撮影条件情報（位置情報）とともに、記録されるので、パノラマ画像がどの位置から撮影されたものであるかを簡単に識別することができる。
【００３７】
また、検者は、誘導テンプレートにより、予め画像付で撮影指示を受けられるので、その手順に沿って撮影をすれば、複雑なパノラマ撮影も簡単に撮影することが可能となる。
【００３８】
以上は、パノラマ撮影を選択した場合であったが、図２のステップＳ３のメニュー選択画面でステレオ撮影の撮影モードを選択すると、ステレオ撮影に移行する（ステップＳ１１）。このステレオ撮影は、パノラマ撮影で外部固視灯を移動させたのに変えて、ジョイスティック１０を操作して観察画面上に現れるワーキングドットの位置を左右に少しずらすようにして撮影を行う。図５にその時の誘導テンプレートが図示されており、モデル眼底画像３５、モデルワーキングドット３７からなり、撮影指示情報３６が出力される。撮影プロセスは、パノラマ撮影のうち２枚だけの撮影をすることにほぼ相当しているので、図３のフローチャートと同様の流れとなる。
【００３９】
また、図２のステップＳ３で、蛍光撮影モードを選択すると、ステップＳ１２に移行し、図６（Ａ）に示した蛍光撮影モード用の誘導テンプレートがモニタ２４に表示される。誘導テンプレートは、眼底のモデル画像４０、モデルワーキングドット４１、撮影指示情報４２、撮影開始から経過した時間の情報４３、推薦倍率（Ｘ）４４、推薦露光量（Ｑ）４５を出力する。モデル画像４０は、蛍光撮影に合わせて白黒画像として表示され、好ましくは時間情報４３で表示される時間の経時に従って白黒濃度が変化される。
【００４０】
検者は、この誘導テンプレートの撮影指示情報４２に従って、ワーキングドット像が中央になるようにアライメントを行い、エキサイタフィルタＥＦ、バリアフィルタＢＦを光路に挿入し、推薦倍率４４、推薦露光量４５に設定した後、蛍光剤の静注を行い、蛍光像が得られる時刻にシャッタボタン１０ａを操作し、ストロボＳＲを発光させる。これにより、コンピュータ２０のＣＰＵ２０ａに内蔵のタイマーが起動して時刻を計時し、時間情報４３として表示される。
【００４１】
蛍光撮影モードでは、「シャッタを押しつづけてください」との指示情報４２’が出力されるので、約１秒間隔で連続撮影を行う。シャッタボタンの操作により発光するストロボ発光のタイミング信号がコンピュータ２０に取り込まれ、撮影時間を知ることができるので、各時間に撮影された眼底画像を、撮影条件情報と関連させてＨＤＤ２０ｄあるいは外部記憶装置２３に記憶する。この記録状態が、図７（Ｂ）に図示されており、各時間に撮影された蛍光眼底画像４５、４５’、４５”が、蛍光撮影であることを示す「蛍光」情報４５ａ、並びに撮影時刻（ｔ１、ｔ２、、、ｔｎ）４５ｂ、４５ｂ’、４５”の撮影条件情報と関連づけて保存される。このとき、必要に応じて推薦倍率（Ｘ）４５ｃ、推薦露光量（Ｑ）４５ｄ、その他の撮影条件情報４５ｅを記録するようにしてもよい。また、検者が独自に条件を変えて撮影した場合には、（図３のステップＳ２５に対応して）眼底画像を記録するときに、その変更部分のみを修正する。
【００４２】
また、ステップＳ３で、特殊フィルタ撮影モードが選択されると、ステップＳ１３に移行し、図６（Ｂ）に図示したような誘導テンプレートがモニタ２４に表示される。誘導テンプレートは、モデル眼底画像５０、モデルワーキングドット５１、それに特殊フィルタ（例えば、赤色（Ｒ）、緑フィルタ）を挿入させる指示情報５２を出力し、モデル眼底画像は、その挿入フィルタの色に対応して着色して表示される。検者は、指示情報に従って特殊フィルタＢを光路に挿入して、撮影を行う。図４（Ｊ）のように撮影画像をモニタ２４に表示して撮影画像の良否を判定して良好ならば、撮影眼底画像５３を、図７（Ｃ）に示したように、撮影条件情報「特殊」５３ａと関連付けて保存する。このとき、同様に他の撮影条件情報５３ｂも記録するようにしてもよい。
【００４３】
また、ステップＳ３で、両眼撮影モードが選択されると、ステップＳ１４に移行し、図６（Ｃ）、（Ｄ）に図示したような誘導テンプレートがモニタ２４に表示される。誘導テンプレートは、モデル眼底画像６０、６０’、モデルワーキングドット６１、それに「左目を撮ってください」、「右目を撮ってください」の指示情報６２、６２’を出力する。検者は、図６（Ｃ）の指示情報に従ってまず左目の撮影を行い、図４（Ｊ）のように撮影画像をモニタ２４に表示して撮影画像の良否を判定して良好ならば、撮影画像を、「左目」の撮影条件情報と関連付けて記録し、次に図６（Ｄ）の指示情報に従って右目の撮影を行い、画像が良好であることを確認して、撮影画像を、「右目」の撮影条件情報と関連付けて記録する。この状態が、図７（Ｄ）に図示されており、撮影された左目及び右目の眼底画像６３、６３’が撮影条件情報「左目」、「右目」６３ａ、６３ａ’と関連付けて保存される。このとき、同様に他の撮影条件情報６３ｂも記録するようにしてもよい。なお、この場合、被検者は同一なので、被検者情報は片眼ごとに入れ直さなくても、自動的に前撮影の時の被検者情報が記録されることが望ましい。
【００４４】
このように、各撮影モードでの撮影された眼底画像と、撮影を誘導するために出力される撮影条件情報（「位置情報」、「蛍光」、「特殊」、「左目」、「右目」など）とを関連付けて記憶することができるので、眼底カメラ側から撮影条件情報の出力を必要とすることなく、簡単な構成で、撮影された眼底画像が、どのような撮影条件のもとで、また眼底のどの位置を撮影したものであるかを知ることが可能になる。従って、後で画像を再生する場合、撮影条件、撮影位置に応じて読影ソフトを使い分けすることも可能になる。
【００４５】
また、本発明では、図８に示したアニメーション機能が実現できる。図８（Ａ）、（Ｂ）、（Ｃ）の下段に示した誘導テンプレート（図５のテンプレートに対応）に従って撮影された眼底画像７０、７１、７２を、これらを格納した記憶装置から読み出し、それを順次モニタ２４に表示させて眼底画像をアニメーションする。これにより、撮影される眼底画像をより多角的に観察できるようになる。
【００４６】
なお、誘導テンプレートから出力される撮影条件情報は、アライメント用のモニタ１４にも、出力することができ、モニタ２４の代用とすることもできる。
【００４７】
また、撮影された眼底画像と、それに関連する撮影条件情報などの属性データと関連付けて記録する場合、図７に示したように、同一のファイルに記録するほかに、眼底画像の画像ファイルと、その属性データを別ファイルに記録し、両ファイルを患者ＩＤ番号などをキーとしてリレーショナルに結合するようにすることもできる。
【００４８】
【発明の効果】
以上説明したように、本発明によれば、眼底撮影時、その撮影を誘導するために撮影条件情報が出力され、撮影された眼底画像と、該出力された撮影条件情報とが関連付けて保存されるので、眼底カメラ側から実際の撮影条件情報を必要とすることなく、簡単な構成で、眼底画像を、実際の撮影条件情報と同等な情報と関連付けして記録できるファイリングシステムが得られる。
【００４９】
また、誘導テンプレートないし撮影ガイダンス機能によりパノラマ撮影、ステレオ撮影のような複雑な撮影も簡単にしかも確実に行うことができ、また撮影された各眼底画像が、撮影誘導のために出力された撮影位置情報とともに保存されるので、簡単に眼底画像がどのような撮影モード（撮影方法）で眼底のどの位置を撮影したものであるかを知ることができる。
【図面の簡単な説明】
【図１】本発明の眼科撮影システムの構成を概略示す構成図である。
【図２】眼底撮影の流れを示すフローチャートである。
【図３】パノラマ撮影時の流れを示すフローチャートである。
【図４】パノラマ撮影時、テンプレートにより誘導されて行われる撮影の流れを示した説明図である。
【図５】ステレオ撮影時、テンプレートにより誘導されて行われる撮影の流れを示した説明図である。
【図６】蛍光撮影、特殊撮影、両眼撮影時、テンプレートにより誘導されて行われる撮影を示した説明図である。
【図７】撮影された眼底画像を、撮影条件情報と関連付けして記録する状態を示した説明図である。
【図８】本発明により得られるアニメーション機能を説明した説明図である。
【符号の説明】
１　眼底カメラ
１０　ジョイスティック
１０ａ　シャッタボタン
１３　外部固視灯
１４　アライメント用モニタ
２０　コンピュータ
２３　外部記憶装置
２４　モニタ
３０　固視灯テンプレート
３１　対物レンズテンプレート
３２　眼底画像テンプレート
２５、４０、５０、６０、６０’　モデル眼底画像
３７、４１、５１、６１　モデルワーキングドット
【図１】
2004135941.tif 000003
【図２】
2004135941.tif 000004
【図３】
2004135941.tif 000005
【図４】
2004135941.tif 000006
【図５】
2004135941.tif 000007
【図６】
2004135941.tif 000008
【図７】
2004135941.tif 000009
【図８】
2004135941.tif 000010